(57)【要約】      （修正有）【課題】インジェクション成型法でも成型可能で、且つ封水部が一体に成型された排水トラップを提供する。【解決手段】トラップ本体１の上方に設けた、排水が流入する排水口２と、下端よりも高い位置の側面に設けた、排水口２からの排水を排出する排出口３と、排出口３の上端から下方に向かって傾斜する傾斜内壁４と、傾斜外壁５に対向する位置であって排出口３の下端から下方に向かって傾斜する傾斜外壁５と、から成り、傾斜内壁４及び傾斜外壁５を筒状のトラップ本体１に樹脂成形にて一体に成型して備えると共に、側面視傾斜内壁４と傾斜外壁５の延長線が、平行かまたは排出口３よりも下方にて交差するように配置し、少なくとも傾斜内壁４、傾斜外壁５、トラップ本体１側面を含む部分にて封水部６を形成する。【選択図】図２
2012172433.tif 000002
【特許請求の範囲】
【請求項１】
排水機器の排水を行う排水トラップであって、
筒状のトラップ本体１の上方に設けた、排水が流入する排水口２と、
トラップ本体１の下端よりも高い位置の側面に設けた、排水口２からの排水を排出する排出口３と、
排出口３の上端から下方に向かって傾斜する傾斜内壁４と、
該傾斜内壁４に対向する位置であって排出口３の下端から下方に向かって傾斜する傾斜外壁５と、
から成り、傾斜内壁４及び傾斜外壁５をトラップ本体１に樹脂成形にて一体に成型して備えると共に、
側面視傾斜内壁４と傾斜外壁５の延長線が、平行かまたは排出口３よりも下方にて交差するように配置し、
少なくとも傾斜内壁４、傾斜外壁５、トラップ本体１側面を含む部分にて封水部６を形成することを特徴とする、排水トラップ。
【請求項２】
上記排水トラップにおいて、
トラップ本体１の側面に、他の部材との接続部７を設けると共に、
傾斜内壁４の下面の延長線が、接続部７と交差しないことを特徴とする、
請求項１に記載の排水トラップ。
【請求項３】
上記排水トラップにおいて、
トラップ本体１を、漏水受けの排水装置に採用することを特徴とする、請求項１または請求項２に記載の排水トラップ。
【発明の詳細な説明】
【技術分野】
【０００１】
本発明は洗面台、流し台、浴槽、浴室などの槽体に生じた排水を排出する、排水トラップに関するものである。
【背景技術】
【０００２】
従来、洗面台、流し台、手洗い器等の排水配管として、図７に示した従来例がある。
図７に示した従来の排水配管は、洗面台に設けられた槽体である洗面ボウルの排水配管に関するものであって、以下に記載した槽体である洗面ボウルを備えた洗面台と、排水栓本体と、トラップ本体と、接続管部材と、から構成される。
洗面台は、陶器からなる、上方が開口した箱体からなり、底面に平面視円形を成す取着口を備えた洗面ボウルと、該洗面ボウルの下方に配置されたキャビネット部分と、からなる排水機器（使用によって排水を生じる機器）である。
また、洗面ボウルは、側面にもオーバーフロー排水を行うための開口であるオーバーフロー排水口を備えると共に、該オーバーフロー排水口を通過した排水を、後述する排水栓本体の開口部に導くための、洗面ボウルと一体に成型したオーバーフロー流路を設けてなる。
オーバーフロー流路をより詳細に説明すると、オーバーフロー流路は、洗面ボウルと同じく陶器により洗面ボウルに一体に成型される部分であって、オーバーフロー排水口から取着口の周囲まで、洗面ボウルの裏側を囲むように設けられた陶器材によって流路を形成してなる。尚、取着口の直下部分のオーバーフロー流路の壁面には取着口と同様の開口が設けられており、排水栓本体を挿通可能に構成されてなる。
排水栓本体は、略円筒状にしてその上方に排水口を備えると共に、上端の外側面部分に、外側方向に連続して突出したフランジ部を備えてなる。また、フランジ部よりも下方の側面にオーバーフロー排水口からの排水を流入させるための開口部を備えてなる。また、開口部よりも下方の側面に、下端まで連続する雄ネジ部を備えてなる。また、上記雄ネジ部と螺合する雌ネジ部を備えた板ナット部材を備えてなる。
トラップ本体は管体をＳ字形状に屈曲させた部材であって、上流側の端部は排水栓本体の下端に接続管部材を介して接続され、排水機器の使用時には、排水が該屈曲部分に溜まることで、管体の一部分を水封状態（管の一部が水によって満水となり閉塞された状態）とし、下水側から屋内側への臭気や害虫類の逆流を防止する部材である。
この水封を生じる溜まった排水は封水と呼ばれ、またこの封水を溜める部分は封水部と呼ばれる。
接続管部材は直線状の管体からなる部材であって、排水栓本体の下端からトラップ本体の上流側端部、およびトラップ本体の下流側端部から、下水配管に繋がる床下配管までを、水密的に接続する。
また、特に詳細に図示・記載等しないが、各部材の接続箇所などにおいて、必要に応じ、各部材を水密的に接続するためのパッキングを備えてなる。
【０００３】
上記のように構成された洗面台に備えられた洗面ボウルの排水配管は、以下に記載したようにして、洗面ボウルに施工される。
まず排水栓本体を、フランジ部側を上方にした上で、フランジ部下面が、取着口の周縁上面に当接するまで挿通する。この時、排水栓本体の下端は、オーバーフロー流路の、取着口直下の開口に突出するように配置される。この状態から排水栓本体の雄ネジ部に、板ナット部材の雌ネジ部を螺合させると、取着口の周縁（及びオーバーフロー流路の取着口の直下の開口周縁）を、フランジ部下面と、板ナット部材上面とで挟持することとなり、排水栓本体を洗面ボウルに固定することができる。この時、開口部はオーバーフロー流路に対して開口することとなる。
次に、接続管部材を介して、排水栓本体の下端からトラップ本体の上流側端部、及びトラップ本体の下流側端部から床下配管までを、水密的に接続して、洗面ボウルへの排水配管の施工が完了する。
【０００４】
上記のように排水配管を施工した洗面ボウルにおいて、洗面ボウル内部に排水が発生すると、排水は、排水口から排水栓本体内部、接続管部材、トラップ本体、接続管部材を介し、最終的には床下配管から下水側に排出される。
また、排水口をゴム栓などで閉塞した場合、排水は洗面ボウル内部に溜まるが、洗面ボウル内の排水の水位がオーバーフロー排水口の下端に達すると、それ以降の排水はオーバーフロー排水口から、オーバーフロー流路を通過し、開口部、排水栓本体内部、接続管部材、トラップ本体、接続管部材を介し、最終的には床下配管から下水側に排出される。
また、上記のようにして排水配管を使用することで、トラップ本体の屈曲部分には排水が溜まって封水を形成し、管体の一部分を水封状態とするので、下水側から屋内側への臭気や害虫類の逆流を防止することができる。
【０００５】
【特許文献１】特開２０１０−７７６６７号公報
【発明の開示】
【発明が解決しようとする課題】
【０００６】
上記従来例に示した、洗面ボウルの排水配管においては、次のような問題があった。
樹脂素材を利用して成型品を構成する場合、通常はインジェクション成型法またはブロー成型法が利用される。
インジェクション成型法は、成型対象の内外に金型を当て、その隙間に高温で熔解させた樹脂を圧力を掛けて流し込み、樹脂が冷えて固まってから取り出す方法である。全ての面に金型を当てて成型するため、各部の形状寸法は正確な物となるが、成型品の内部にも金型を配置する形状の場合、成型品の開口部分から取り出すことのできる形状でなければ利用することができない。
ブロー成型法は、成型対象の外側の金型のみを作っておき、パリソンと呼ばれる高温で筒状とした樹脂を金型で挟み込み、パリソン内部に空気で圧力を加える。すると金型内部のパリソンは空気の圧力で外側の金型に押し当てられた状態となり、このまま樹脂を冷やすことで成型品を得ることができる。成型品内部には空気が当てられるため、インジェクション成型と異なり金型を内部より取り出す必要が無く、形状の自由度は増すが、内部は空気を押し当てて成型するため、形状や寸法は一定の形状とはならず、余り精度の高い物とならない。また金型で挟み込んだ部分には、「バリ」と呼ばれるはみ出し部分が必ず生じるため、これを取り除く必要があるなど、手間も多くかかる。
トラップ本体は、管体を屈曲させてその内部に水が溜まる形状とする必要がある。図７に示した従来例のトラップ本体の場合、管体を円弧を含んだＳ字形状に屈曲させた形状であり、金型を内部から取り出すことのできない形状のため、ブロー成型法にて成型する必要がある。しかし、前述したように、ブロー成型法は、成型品の内部については形状の精度が出ない構造のため、部材同士の接続を漏水無きよう水密的に行わなければならない排水配管の部材には、決して好適な成型方法とは言えない。
屈曲した管体を対称面で等分に分割した形状にてインジェクション成型で構成し、接着剤で貼り合わせて１つのトラップ本体とする方法もあるが、この場合接着剤の接合部分を貼り合わせる手間が増える上、貼り合わせ部分から漏水が生じる可能性もある。
本発明は、上記の課題に鑑みて成されたものであり、その目的とするところは、インジェクション成型法でも成型可能で、且つ封水部までが一体に成型された排水トラップを提供するものである。
【課題を解決するための手段】
【０００７】
請求項１に記載の本発明は、排水機器の排水を行う排水トラップであって、
筒状のトラップ本体１の上方に設けた、排水が流入する排水口２と、トラップ本体１の下端よりも高い位置の側面に設けた、排水口２からの排水を排出する排出口３と、排出口３の上端から下方に向かって傾斜する傾斜内壁４と、該傾斜内壁４に対向する位置であって排出口３の下端から下方に向かって傾斜する傾斜外壁５と、から成り、傾斜内壁４及び傾斜外壁５をトラップ本体１に樹脂成形にて一体に成型して備えると共に、側面視傾斜内壁４と傾斜外壁５の延長線が、平行かまたは排出口３よりも下方にて交差するように配置し、少なくとも傾斜内壁４、傾斜外壁５、トラップ本体１側面を含む部分にて封水部６を形成することを特徴とする、排水トラップである。
【０００８】
請求項２に記載の本発明は、上記排水トラップにおいて、トラップ本体１の側面に、他の部材との接続部７を設けると共に、傾斜内壁４の下面の延長線が、接続部７と交差しないことを特徴とする、上記段落０００７に記載の排水トラップである。
【０００９】
請求項３に記載の本発明は、上記排水トラップにおいて、トラップ本体１を、漏水受けの排水装置に採用することを特徴とする、上記段落０００７または上記段落０００８に記載の排水トラップである。
【発明の効果】
【００１０】
請求項１に記載の本発明によれば、封水部を備えた排水トラップの成型時において、トラップ本体内部に配置した金型を、排水口と排出口とから抜き出すことができ、インジェクション成型法でも成型可能で、且つ封水部までが一体に成型された排水トラップを提供することができる。これにより、ブロー成型にてトラップ部材を製造する場合に比べ、内部の寸法精度を高めることで部材の水密性を高めることができる。また、ブロー成型のようにバリ取りの手間が不要となり、コストダウンを図ることができる。また、インジェクション成型にて２つの部材を１つに組み立てる場合と比べ、一体化による組み立ての手間を省いてコストダウンなどを図ることができる。また貼り合わせ部分からの漏水が生じる恐れも無くなった。
請求項２に記載の本発明によれば、上記排水トラップのトラップ本体において、他の部材との接続を行う為の接続部を設けた場合でも、インジェクション成型を利用した、一体に成型された排水トラップを提供することができる。
また、本発明による排水トラップは、その構成上、流路の狭い部分が生じる場合があり、その場合には排水性能が悪化することとなる。このような排水トラップに対しては、大量に排水が流れることの無い、浴槽パンや洗濯機パンなど、請求項３に記載したような漏水受けの排水装置に採用すると好適である。
【図面の簡単な説明】
【００１１】
【図１】本発明の第一実施例を示す、一部を切り欠きした参考図である。
【図２】第一実施例のトラップ本体を示す断面図である。
【図３】第一実施例のトラップ本体の、成型状態を示す参考図である。
【図４】第一実施例の、トラップ本体に封水が生じた状態を示す断面図である。
【図５】本発明の第二実施例を示す、一部を切り欠きした参考図である。
【図６】第二実施例のトラップ本体を示す断面図である。
【図７】従来の洗面ボウルの配管構造を示す参考図である。
【実施例】
【００１２】
以下に、本発明の第一実施例を、図面を参照しつつ説明する。
図１乃至図４に示した本発明の実施例は、洗面台Ｗに設けられた槽体である洗面ボウルＢの排水配管に関するものであって、以下に記載した槽体である洗面ボウルＢを備えた洗面台Ｗと、トラップ本体１と、筒状接続管部材１１と、直管部材１４と、から構成される。
洗面台Ｗは、陶器からなる、上方が開口した箱体からなり、底面に平面視円形を成す取着口を備えた洗面ボウルＢと、該洗面ボウルＢの下方に配置されたキャビネット部分Ｃと、からなる排水機器（使用によって排水を生じる機器）である。
また、洗面ボウルＢは、側面にもオーバーフロー排水を行うための開口であるオーバーフロー排水口Ｏを備えると共に、該オーバーフロー排水口Ｏを通過した排水を、後述するトラップ本体１の開口部８に導くための、洗面ボウルＢと一体に成型したオーバーフロー流路Ｌを設けてなる。
オーバーフロー流路Ｌをより詳細に説明すると、オーバーフロー流路Ｌは、洗面ボウルＢと同じく陶器により洗面ボウルＢに一体に成型される部分であって、オーバーフロー排水口Ｏから取着口の周囲まで、洗面ボウルＢの裏側を囲むように設けられた陶器材によって流路を形成してなる。尚、取着口の直下部分のオーバーフロー流路Ｌの壁面には取着口と同様の開口が設けられており、トラップ本体１を挿通可能に構成されてなる。
トラップ本体１は、有底略円筒状にして、その上端に開口部８分としての排水口２を備えると共に、上端の外側面部分に、外側方向に連続して突出したフランジ部９を備えてなる。また、フランジ部９よりも下方の側面に、オーバーフロー排水口Ｏからの排水を流入させるための開口部８を備えてなる。また、開口部８よりも下方の側面に、下端まで連続する雄ネジ部１０を備えてなり、フランジ部９と該雄ネジ部１０とでトラップ本体１を洗面ボウルＢに取り付けるための接続部７を構成する。
該接続部７となるフランジ部９及び雄ネジ部１０は、傾斜内壁４の下面の延長線と交差しない位置に配置されてなる。
また、雄ネジ部１０より下方でトラップ本体１の下端よりも高い位置の側面に、排水口２からの排水を排出する排出口３を設けてなる。
トラップ本体１内部には、排出口３の上端から下方に向かって傾斜する傾斜内壁４を備えてなり、また傾斜内壁４に対向する位置の外側面には、排出口３の下端から下方に向かって傾斜する傾斜外壁５を設けてなる。
側面視において、傾斜内壁４の下面と傾斜外壁５上面とは、図２に示したように平行な位置関係に形成されている。また傾斜内壁４のトラップ本体１内部の端部は垂直面にて形成されている。
上記したトラップ本体１について、トラップ本体１の外側面は、図３の手前側及び奥側に配置された２枚の外側面の金型Ｋ３によって成型される。また、トラップ本体１の内面は、平面視排水口２から視認できる部分を成型し、排水口２から取り出される第一の金型Ｋ１と、それ以外の部分を成型し、排出口３から取り出される第二の金型Ｋ２によって成型される。上述のようにして、上記した各構成を備えたトラップ本体１は、インジェクション成型にて一体に成型される。
筒状接続管部材１１は、トラップ本体１外周面よりも２〜３ｃｍ大径な内周面を備えた、円筒形状の部材であって、上方は天井部分１２を備えると共に、その中心にトラップ本体１の雄ネジ部１０と螺合する雌ネジ部１３を備えてなる。また、下方端部には、直管部材１４との接続を行う雄ネジを備えてなる。
直管部材１４は上端に筒状接続部７材の側面の雄ネジと螺合するナット部材１５を備えた、筒状接続部７材の下端に水密的に接続される直線状の管体からなる部材であって、筒状接続管の下端から、下水配管に繋がる床下配管までを、水密的に接続する。
【００１３】
上記のように構成された、洗面台Ｗに設けられた洗面ボウルＢの排水配管は、以下に記載したようにして、洗面ボウルＢに施工される。
まず、トラップ本体１を、フランジ部９側を上方にした上で、フランジ部９下面が、取着口の周縁上面に当接するまで挿通する。この時、トラップ本体１の下端は、オーバーフロー流路Ｌの、取着口直下の開口に突出するように配置される。この状態からトラップ本体１の雄ネジ部１０に、筒状接続管部材１１の雌ネジ部１３を螺合させると、取着口の周縁（及びオーバーフロー流路Ｌの取着口の直下の開口周縁）を、フランジ部９下面と、筒状接続管部材１１上面とで挟持することとなり、トラップ本体１を洗面ボウルＢに固定することができる。この時、開口部８はオーバーフロー流路Ｌに対して開口することとなる。
次いで、筒状接続管部材１１の下端と直管部材１４とを接続し、直管部材１４の下端を床下配管に接続して、洗面ボウルＢへの排水配管の施工が完了する。
【００１４】
上記のように排水配管を施工した洗面ボウルＢにおいて、洗面ボウルＢ内部に排水が発生すると、排水は、排水口２からトラップ本体１内部を通過し、排出口３から排出され、筒状接続管部材１１から直管部材１４を介し、最終的には床下配管から下水側に排出される。
また、排水口２をゴム栓などで閉塞した場合、排水は洗面ボウルＢ内部に溜まるが、洗面ボウルＢ内の排水の水位がオーバーフロー排水口Ｏの下端に達すると、それ以降の排水はオーバーフロー排水口Ｏから、オーバーフロー流路Ｌを通過し、開口部８、トラップ本体１内部、排出口３から排出され、筒状接続管部材１１から直管部材１４を介し、最終的には床下配管から下水側に排出される。
また、上記のようにして排水配管を使用することで、図４に示したように、トラップ本体１の、傾斜内壁４、傾斜外壁５、トラップ本体１側面、そしてトラップ本体１底面に囲まれる部分にて排水が溜まって封水Ｄを形成する。上記実施例では、傾斜内壁４、傾斜外壁５、トラップ本体１側面、そしてトラップ本体１の底面によって囲まれた部分が封水Ｄを溜める封水部６となる。
【００１５】
次に、本発明の第二実施例を、図面を参照しつつ説明する。
図５乃至図６に示した本発明の実施例は、浴室の浴槽パンＰの排水配管に関するものであって、以下に記載した漏水受けである浴槽パンＰと、トラップ本体１と、エルボ部材Ｅと、から構成される。
浴槽パンＰは、図示しない浴槽を載置する水受けパンであって、その最も低い部分に、エルボ部材Ｅを取り付ける取着口を備えてなる。尚、この浴槽パンＰ上に載置される浴槽の排水配管は、浴槽パンＰを貫通するようにして、後述するエルボ部材Ｅの配管とは別の流路を通過して床下配管に接続され、床下配管から下水側に排出される。また、図示しないが浴槽パンＰに隣接して設けられる洗い場パンにも別途洗い場パン上の排水を行う為の排水口２が設けられている。また浴槽と浴室、洗い場パンと浴槽の間等も壁面等によって閉塞されている。このため、浴槽や洗い場パン上で生じた排水が、下水側に排出することを目的としてこの浴槽パンＰ上に排出されることはない。この浴槽パンＰ上に生じる排水は、例えば浴槽裏面の結露や浴槽配管の継ぎ目からの漏水、浴槽や洗い場との継ぎ目からの漏水など、本来生じることを目的としない（できれば生じないようにしたいが、技術的に完全に無くすことができない）排水であって、浴槽パンＰはこれら漏れ出た排水を受け止め、床下配管を介し下水側に排出する漏水受けとして機能している。
トラップ本体１は、有底略円筒状にしてその上端に開口部８分としての排水口２を備えると共に、上端の外側面部分に、外側方向に連続して突出した接続部７を備えてなる。該接続部７は平面視円形で、その端部には、回転させることで後述するエルボ部材Ｅの開口の凸部１８と嵌合する傾斜部１６を備えてなる。また、接続部７よりも下方であって、トラップ本体１の下端よりも高い位置の側面に、排水口２からの排水を排出する排出口３を設けてなる。
トラップ本体１内部には、排出口３の上端から下方に向かって傾斜する傾斜内壁４を備えてなり、また傾斜内壁４に対向する位置の外側面には、排出口３の下端から下方に向かって傾斜する傾斜外壁５を設けてなる。
側面視において、傾斜内壁４の下面と傾斜外壁５の上面とは、図６に示したように平行な位置関係に形成されている。また傾斜内壁４のトラップ本体１内部の端部は垂直面にて形成されている。
上記したトラップ本体１について、トラップ本体１の外面および接続部７の下面は、２枚の金型によって成型される。また、トラップ本体１の内面及び接続部７上面は、接続部７上面及び平面視排水口２から視認できる部分を成型し、排水口２から取り出される第一の金型Ｋ１と、それ以外の部分を成型し、排出口３から取り出される第二の金型Ｋ２によって成型される。上述のようにして、上記した各構成を備えたトラップ本体１は、インジェクション成型にて一体に成型される。
尚、接続部７の端部は、図面などから明らかなように傾斜内壁４の下面の延長線と交差しない位置に配置されてなる。
エルボ部材Ｅは浴槽パンＰの取着口に取り付けられる、側面視Ｌ字状を成す管部材であって、平面視円形にして、トラップ本体１の接続部７の傾斜部１６と嵌合する凸部１８を備えた接続口１７を設けてなり、下流側は床下配管を介して下水側に接続される。
【００１６】
上記のように構成された、浴槽パンＰの排水配管は、以下に記載したようにして、浴槽パンＰに施工される。
まず、エルボ部材Ｅを、下流側端部を床下配管に接続した上で、浴槽パンＰの取付口に取り付け固定する。
次いで、接続口１７の凸部１８に、トラップ本体１の接続部７に、トラップ本体１を配置した上で、トラップ本体１を回転させ、接続部７の傾斜部１６に、接続口１７の凸部１８を嵌合させて、浴槽パンＰへの排水配管の施工が完了する。
【００１７】
上記のように排水配管を施工した浴槽パンＰ上に排水が発生すると、排水は、排水口２からトラップ本体１内部を通過し、排出口３から排出され、エルボ部材Ｅ内部から床下配管を介し、最終的に下水側に排出される。
また、上記のようにして排水配管を使用することで、トラップ本体１の、傾斜内壁４、傾斜外壁５、トラップ本体１側面、そしてトラップ本体１底面に囲まれる部分にて排水が溜まって封水Ｄを形成する。上記実施例では、傾斜内壁４、傾斜外壁５、トラップ本体１側面、そしてトラップ本体１の底面によって囲まれた部分が封水Ｄを溜める封水部６となる。
【００１８】
本発明の実施例は以上のようであるが、本発明は上記実施例に限定されるものではなく、主旨を変更しない範囲において自由に変更が可能である。
例えば、上記実施例では、トラップ本体１を洗面ボウルＢや浴槽パンＰに配置しているが、本発明は上記実施例に限定されるものではなく、浴槽や流し台のシンクなど、他の槽体の排水配管に使用してももちろん構わない。
また、上記実施例では、トラップ本体１を円筒形状としているが、本発明のトラップ本体１は必ずしも円形にする必要はなく、必要に応じて方形など任意の形状とすることができる。
また、上記実施例では、傾斜内壁４の下面と傾斜外壁５の上面とは、平行な位置関係に形成されているが、本発明においては、金型が排出口３から抜き出すことが可能であれば必ずしも平行にする必要はなく、側面視傾斜内壁４と傾斜外壁５の延長線が、排出口３よりも下方にて交差するように（つまり排出口３に向かって拡径するように）構成しても良い。
【符号の説明】
【００１９】
１    トラップ本体                ２    排水口
３    排出口                      ４    傾斜内壁
５    傾斜外壁                    ６    封水部
７    接続部                      ８    開口部
９    フランジ部                  １０  雄ネジ部
１１  筒状接続管部材              １２  天井部分
１３  雌ネジ部                    １４  直管部材
１５  ナット部材                  １６  傾斜部
１７  接続口                      １８  凸部
Ｂ    洗面ボウル                  Ｃ    キャビネット部分
Ｄ    封水                        Ｅ    エルボ部材
Ｋ１  第一の金型                  Ｋ２  第二の金型
Ｋ３  外側面の金型                Ｌ    オーバーフロー流路
Ｏ    オーバーフロー排水口        Ｐ    浴槽パン
Ｗ    洗面台
【図１】
2012172433.tif 000003
【図２】
2012172433.tif 000004
【図３】
2012172433.tif 000005
【図４】
2012172433.tif 000006
【図５】
2012172433.tif 000007
【図６】
2012172433.tif 000008
【図７】
2012172433.tif 000009